(57)【要約】【課題】  従来の技術は、ミキサドラムに取り付ける点検口で、フレームとシールプレートとスライドプレートから構成されるもので、ミキサドラム用であり、フレームの形状も複雑である。また、外枠を溶接で取り付けるもので、作業が大変であり、屋外の雨の日には作業できない。【解決手段】  コンベヤーやホッパー等に取り付ける点検窓において、筒体の下面に係止片を形設した底板を設けてなる窓枠本体と、底板上に設けるパッキンと、取付案内ピンを突設すると共に、両側に蓋押え具を設けてなる押枠本体と、蓋本体の両側に蓋押え具に着脱自在に取り付ける取付部を形設してなる蓋とからなること。【選択図】図１
2013220851.tif 000002
【特許請求の範囲】
【請求項１】
コンベヤーやホッパー等に取り付ける点検窓において、筒体の下面に係止片を形設した底板を設けてなる窓枠本体と、底板上に設けるパッキンと、取付案内ピンを突設すると共に、両側に蓋押え具を設けてなる押枠本体と、蓋本体の両側に蓋押え具に着脱自在に取り付ける取付部を形設してなる蓋とからなることを特徴とする点検窓。
【請求項２】
取付案内ピンが、少なくとも２本以上であることを特徴とする請求項１記載の点検窓。
【請求項３】
窓枠本体と押枠本体を連結する連結具を設けたことを特徴とする請求項１又は２記載の点検窓。
【請求項４】
蓋押え具が、左右に揺動する雌ネジ部と雄ネジ部とからなることを特徴とする請求項１、２又は３記載の点検窓。
【請求項５】
係止片が、少なくとも２箇所以上、水平方向に突設し、外周半径が、取り付ける点検窓孔の半径より少し大きいことを特徴とする請求項１、２、３又は４記載の点検窓。
【請求項６】
蓋本体内側に、パッキンを設けてなることを特徴とする請求項１、２、３、４又は５記載の点検窓。
【請求項７】
窓枠本体の底板に、フィルターやガラス板を取り付けるべく、装着部を設けてなることを特徴とする請求項１、２、３、４、５又は６記載の点検窓。
【発明の詳細な説明】
【技術分野】
【０００１】本発明は、コンベヤーやホッパー等の各種設備や現場の保全に必要な点検を行うための点検窓に関する。
【背景技術】
【０００２】  従来の技術として、密閉式混合機の容器側面に取り付けられる内部点検口であって、容器側面に設けた円形開口部に溶接可能なフレーム部材と、このフレームが形成する円形窓部に着脱可能な蓋部材とを備え、蓋部材は、窓部を封止するシールプレートと、フレーム部材と係合可能なスライドプレートとを備え、シールプレートとスライドプレートとが近接又は離間可能な状態で連結されている、ことを特徴とする密閉式混合機用内部点検口がある。（特許文献１参照）【０００３】  また、別の従来技術として、搬送装置のコンベヤケース等に取り付けられる点検窓において、点検窓の外枠内に収まる大きさ、開口部を完全に覆う大きさの底面を備えた中蓋を有し、中蓋には、その底面外縁部から垂直上向きに延設された起立壁が複数個存在し、中蓋を閉じた時に起立壁が点検窓の外枠内壁に当接し外枠と同じ高さを有し、外壁を閉じた時に外蓋のパッキンが外枠の上端面と起立壁の上端面とを共締めすることを特徴とする点検窓がある。（特許文献２参照）
【先行技術文献】
【特許文献】
【０００４】
【特許文献１】  特開平９−２１３４号公報
【特許文献２】  特開２００７−５０９９４号公報
【発明の概要】
【発明が解決しようとする課題】
【０００５】  上記前者は、ミキサドラムに取り付ける点検口で、フレームとシールプレートとスライドプレートから構成されるもので、ミキサドラム用であり、フレームの形状も複雑で、本発明の機能・効果も有していない。【０００６】  また、上記後者については、同様な目的のものであるが、外枠を溶接で取り付けるもので、作業が大変であり、屋外の雨の日には作業できない。【０００７】  本発明は、このような従来の構成が有していた問題を解決しようとするもので、取付物（コンベヤーやホッパーの点検窓として）に孔を開けた後は、外側からドライバー１本で取り付け（取り外し）ができる点検窓を提供することを目的とする。
【課題を解決するための手段】
【０００８】    本発明は、上記目的を達成するため、コンベヤーやホッパー等に取り付ける点検窓において、筒体の下面に係止片を形設した底板を設けてなる窓枠本体と、底板上に設けるパッキンと、取付案内ピンを突設すると共に、両側に蓋押え具を設けてなる押枠本体と、蓋本体の両側に蓋押え具に着脱自在に取り付ける取付部を形設し、内側にパッキンを設けてなる蓋とからなること。取付案内ピンが、少なくとも２本以上であること。窓枠本体と押枠本体を連結する連結具を設けたこと。蓋押え具が、左右に揺動する雌ネジ部と雄ネジ部とからなること。係止片が、少なくとも２箇所以上、水平方向に突設し、外周半径が、取り付ける点検窓孔の半径より少し大きいこと。蓋本体内側に、パッキンを設けてなること。窓枠本体の底板に、フィルターやガラス板を取り付けるべく、装着部を設けてなることを特徴とする。
【発明の効果】
【０００９】１）、窓枠本体とパッキンと押枠本体と蓋とからなるもので、コンベヤーやホッパー等に開けた取付孔に対して外側からドライバー１本で簡単に取り付けることができる。
２）、取付案内ピンにより、取付孔へ高い精度で取り付けることができる。
３）、連結具（ボルト・ナット）にて窓枠本体と押枠本体を溶接等の必要もなく連結できる。
４）、蓋押え具は、手で締め付けるだけで蓋を固定できる。
５）、係止片を取付孔より内部へ入れ込み、係止めさせて取り付けることができる。
６）、装着部に、必要に応じてフィルターやガラス板を取り付けることができる。
【図面の簡単な説明】
【００１０】
【図１】  本発明の一実施例を示す点検窓の分解図。
【図２】  本発明の一実施例を示す点検窓の平面図。
【図３】  本発明の一実施例を示す点検窓の正面図。
【図４】  本発明の一実施例を示す点検窓の窓枠本体の底面図。
【図５】  本発明の一実施例を示す点検窓の断面図。
【図６】  本発明の一実施例を示す点検窓の使用状態断面図。
【発明を実施するための形態】
【００１１】１は、コンベヤーやホッパー等に取り付ける点検窓である。
２は、円筒形の筒体２ａの下面に、水平方向に３箇所に突出してなる係止片２ｃを設けたリング状の底板２ｂを設けてなる窓枠本体で、雌ネジａ及び孔による装着部２ｃ１を設けてある。
３は、底板２部上に設けてなるリング状のパッキンである。
４は、リング状の基板４ａの下面に、上記ピン孔２ｃ１に対応する取付案内ピン４ｂを３本下方に突設すると共に、基板４ａの両側に、軸４ｃ１を中心とし、左右に揺動する雌ネジ部４ｃ２と蝶ネジによる雄ネジ部４ｃ３による蓋押え具４ｃを設けてなる押枠本体である。
５は、蓋で、内側にリング状のパッキン５ａを設けると共に、円形状の蓋本体５ｂの両側に蓋押え具４の雄ネジ部４ｃ３に着脱自在に取り付けるべく、一方の取付部５ｂ１は二股状に形成し、もう一方の取付部５ｂ２は、孔を穿設してある。
６は、窓枠本体２と押枠本体４を連結するためのボルト（３本）による連結具である。
【００１２】  上記点検窓１の使用例について説明する。
例えば、コンベヤーやホッパーの設備Ｓの点検用の窓として使用するもので、予め穿設した取付孔ＴＫに対して、外側より各部材を組んだ状態の点検窓１を斜状にして、まず、窓枠本体２の底板２ｂの１つの係止片２ｃを取付孔ＴＫ内に入れ、そのまま点検窓１を水平方向にし、多少右方向に移動させて残り２つの係止片２ｃを取付孔ＴＫの内面外側に係止するよう移動させる。
この時、３本の取付案内ピン４ｂは取付孔ＴＫの内周に当接する。よって、センターが出た状態となる。
この状態で、ボルトによる連結具６をドライバー（図示せず）にて雌ネジａにネジ込み固定するものである。
なお、点検時においては、２つの雄ネジ部４ｃ３を緩め、特に左側の雄ネジ部４ｃ３を緩め、左側に倒して取付部５ｂ１をつまんで前後必要な方向に移動させ、内部を点検できるものである。
また、必要に応じて、装着部２ｃ１にフィルターやガラス板を取り付け、内部からの飛散を防止するものである。
【００１３】  上記各部材の材質や大きさ等は、必要に応じて決めればよい。
また、形状は円形に限定せず、四角形等も考えられる。
【符号の説明】
【００１４】１−−−点検窓
２−−−窓枠本体
３−−−パッキン
４−−−押枠本体
５−−−蓋
６−−−連結具
Ｔ
【図１】
2013220851.tif 000003
【図２】
2013220851.tif 000004
【図３】
2013220851.tif 000005
【図４】
2013220851.tif 000006
【図５】
2013220851.tif 000007
【図６】
2013220851.tif 000008